(57)【要約】【課題】ディスクを高速で回転させても、風切り音が発生せず、また、ピックアップが空気の流れで汚されることのないディスク装置のディスクカバー構造を提供する。【解決手段】ディスク装置の上面に開閉自在に設けられディスクを覆うディスクカバー２と本体１との間のディスク周囲の隙間をクッション３により密封する。【選択図】　　　　図１
2004062960.tif 000002
【特許請求の範囲】
【請求項１】
ディスク装置の上面に開閉自在に設けられディスクを覆うディスクカバーと本体との間のディスク周囲の隙間をクッションにより密封することを特徴とするディスク装置のディスクカバー構造。
【請求項２】
前記クッションは本体にフックにより嵌着されるエスカッションの対向するフックの間に挟み込まれる請求項１のディスク装置のディスクカバー構造。
【請求項３】
前記エスカッションに設けた軸を前記クッションに設けた穴に挿通して前記クッションを定位置に固定する請求項２のディスク装置のディスクカバー構造。
【発明の詳細な説明】
【０００１】
【発明の属する技術分野】
この発明はディスク装置のディスクカバー構造に係わり、特に、高速でディスクを回転させるディスク装置に好適なディスクカバー構造に関する。
【０００２】
【従来の技術】
従来、本体の上面に開閉自在に設けられたディスクカバーを開き、ＣＤ、ＣＤ−Ｒ（書込み可能コンパクトディスク）、ＣＤ−ＲＷ（書替え可能コンパクトディスク）、ＤＶＤ等のディスクを装着した後、ディスクカバーを閉じてディスクを再生するトップローディング方式のディスク装置が知られている。
【０００３】
このようなディスク装置の例を図６に示す。図６に示す本体１には上面を開閉するディスクカバー２が開閉自在に取付けられている。図６（ａ）に示すようにディスクカバー２を開き、図７に示すターンテーブル９にディスク１０を装着する。
【０００４】
その後、図６（ｂ）および図７に示すようにディスクカバー２を閉じて、ディスク１０を回転させながらピックアップ１１を送り、ピックアップ１１によりディスクを再生する。ディスクカバー２を閉じたときに、ディスクカバー２の先端が本体１に設けられたクション８に当接してディスクカバー２と本体１との間に隙間が生じている。
【０００５】
【発明が解決しようとする課題】
最近では、ＣＤからＭＤ（ミニディスク）やＣＤ−Ｒへの高速録音が普及し、ディスクの高速回転が進んでいる。また、オーディオ機器をパソコンに接続してＣＤ−ＲＯＭ再生装置として用い、ディスクを高速回転させるものもある。
【０００６】
上記した従来のディスク装置でディスクを高速で回転させると、風切り音が発生するという問題があった。また、空気の粘性により空気がディスクと共に回転され遠心力により空気が図７の矢印で示すようにディスク外周方向に流され、ピックアップ１１が汚されるという問題があった。
【０００７】
この発明は上記した点に鑑みてなされたものであって、その目的とするところは、ディスクを高速で回転させても、風切り音が発生せず、また、ピックアップが空気の流れで汚されることのないディスク装置のディスクカバー構造を提供することにある。
【０００８】
【課題を解決するための手段】
この発明のディスク装置のディスクカバー構造は、ディスク装置の上面に開閉自在に設けられディスクを覆うディスクカバーと本体との間のディスク周囲の隙間をクッションにより密封するものである。
【０００９】
また、前記ディスクカバー構造において、前記クッションが本体にフックにより嵌着されるエスカッションの対向するフックの間に挟み込まれるものである。
【００１０】
また、前記ディスクカバー構造において、前記エスカッションに設けた軸を前記クッションに設けた穴に挿通して前記クッションを定位置に固定するものである。
【００１１】
【発明の実施の形態】
この発明の実施例であるディスク装置のディスクカバー構造を図面に基づいて説明する。図１（ａ）はこの発明の第１の実施例であるディスク装置のディスクカバー構造をディスクカバー２を開いた状態で示す斜視図、図１（ｂ）は同ディスク装置のディスクカバー２を閉じた状態で示す正面図である。
【００１２】
図１に示す本体１には上面を開閉する透明のディスクカバー２が開閉自在に取付けられている。図１（ａ）に示すようにディスクカバー２を開き、ターンテーブル９にディスクを装着した後、図１（ｂ）に示すようにディスクカバー２を閉じて、ディスクを回転させながらピックアップ１１によりディスクを再生する。
【００１３】
この例では装着されたディスクの周囲を覆うリング状クッション３が本体１に取付けられており、図１（ｂ）に示すように、ディスクカバー２を閉じたときにディスクカバー２と本体１の間にリング状クション３が挟み込まれてディスクの周囲を密封する。ディスクの周囲が密封されているので風切り音が発生せず、また、空気流れによりピックアップが汚されることがない。
【００１４】
図２および図３によりリング状クション３の本体１への取付け方法を説明する。図２に示すようにリング状クション３はベース３ａから圧接部３ｂが立ち上がる形状となっており、ベース３ａにフック挿通穴３ｃと軸挿通穴３ｄが形成されている。
【００１５】
リング状のエスカッション４はフック４ａと軸４ｂが形成されている。図３（ａ）に示すように、対向するフック４ａの一方をリング状クション３のフック挿通穴３ｃに挿入し、対向するフック４ａ、４ａでリング状クション３を挟み込むようにしてフック４ａ、４ａを本体１に嵌着する。
【００１６】
また、図３（ｂ）に示すようにエスカッション４の軸４ｂをリング状クション３の軸挿通穴３ｄに挿入し、リング状クション３の位置が決められる。このようにフック４ａ、４ａの間にリング状クション３が挟み込まれているので、フック４ａ、４ａの弾性変形の弾力が強化される。また、リング状クション３は軸４ｂにより位置決めされて位置がずれない。
【００１７】
図４はこの発明の第２の実施例であるディスク装置のディスクカバー構造をディスクカバーを開いた状態で示す斜視図である。この例はポータブルディスク装置にこの発明が適用されたものである。
【００１８】
この例では角状クッション５が本体１に取付けられており、ディスクカバー２が閉じられると、角状クッション５が本体１とディスクカバー２に挟まれてディスク周囲を密閉する。このように本体１とディスクカバー２との間を密封するクッション５は角状であってもよい。
【００１９】
図５はこの発明の第３の実施例であるディスク装置のディスクカバー構造の部分を示す断面図である。この例でエスカッション７の対向するフック７ａ、７ａの間隔が広くその間にリブ７ｂ、７ｂが立設されている。
【００２０】
リング状クション６はベース６ａから圧接部６ｂが立ち上がる形状となっており、ベース６ａにフック挿通穴６ｃとリブ挿通穴６ｄが形成されている。図５に示すように、対向するフック７ａの一方をリング状クション６のフック挿通穴５ｃに挿入して、リブ挿通穴６ｄにエスカッション７のリブ７ｂ、７ｂが挿入される。
【００２１】
このようにしてリング状クション６をエスカッション７のフック７ａとリブ７ｂとで挟みこむようにしてフック７ａが本体に嵌着されてリング状クション６が本体に取付けられる。このように、フック７ａ、７ａの間隔が広いときはリブ７ｂとフック７ａによりリング状クション６を本体に固定することができる。本体に固定されたリング状クション６の圧接部６ｂが本体とディスクカバーに圧接されてディスクの周囲が密封される。
【００２２】
【発明の効果】
この発明のディスク装置のディスクカバー構造によれば、ディスクの周囲がクッションにより密封されるので、ディスクの風切り音が周囲に漏れることがなく、ディスク周辺に空気流れが発生しないのでピックアップが汚されない。
【００２３】
また、対向するフックの間にクッションを挟み込むものはフックの弾力が強められ、フックが折れたり、抜けたりすることが防止される。さらに、エスカッションに設けた軸をクッションに設けた穴に挿通するものは、クッションが定位置に固定され、クッションが引張られてもクッションの位置がずれにくい。
【図面の簡単な説明】
【図１】図１（ａ）はこの発明の第１の実施例であるディスク装置のディスクカバー構造をディスクカバーを開いた状態で示す斜視図、図１（ｂ）は同ディスク装置ををディスクカバーを閉じた状態で示す正面図である。
【図２】同ディスクカバー構造の部材の一部を切り取った状態で示す斜視図である。
【図３】図２に示す部材の取付状態を示す断面図である。
【図４】この発明の第２の実施例であるディスク装置のディスクカバー構造をディスクカバーを開いた状態で示す斜視図である。
【図５】この発明の第３の実施例であるディスク装置のディスクカバー構造の部分を示す断面図である。
【図６】図６（ａ）は従来のディスク装置のディスクカバー構造の例をディスクカバーを開いた状態で示す斜視図、図６（ｂ）は同ディスク装置をディスクカバーを閉じた状態で示す正面図である。
【図７】同ディスク装置を示す部分断面図である。
【符号の説明】
１　本体
２　ディスクカバー
３　リング状クッション、３ａ　ベース、３ｂ　圧接部、３ｃ　フック挿通穴
３ｄ　軸挿通穴
４　エスカッション、４ａ　フック、４ｂ　軸
５　角状クッション
６　リング状クッション、６ａ　ベース、６ｂ　圧接部、６ｃ　フック挿通穴
６ｄ　リブ挿通穴
７　エスカッション、７ａ　フック、７ｂ　リブ
８　クッション
９　ターンテーブル
１０　ディスク
１１　ピックアップ
【図１】
2004062960.tif 000003
【図２】
2004062960.tif 000004
【図３】
2004062960.tif 000005
【図４】
2004062960.tif 000006
【図５】
2004062960.tif 000007
【図６】
2004062960.tif 000008
【図７】
2004062960.tif 000009